【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
ポリマーを含んでなる眼内レンズであって、該ポリマーは、式Ｉ：
【化１】
2008520811.tif 000001
［式中、
Aは、置換されていてもよいアリール基であり；
Zは、2-ピラゾリン-5-オン、ジメドン(5,5-ジメチル-1,3-シクロヘキサンジオン)、アセトアセトアミド、マロンアミド、バルビツル酸および1,3-プロパンジオンから選択される成分の基であり；
但しZが2-ピラゾリン-5-オンであるとき、Aは、
【化２】
2008520811.tif 000002
から選択され、ここで、
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
mは、0、1および2から選択され；
nは、1、2または3であり；
Rは、水素、または、C1〜C8アルキル、C1〜C8アルコキシ、ハロゲン、シアノ、ニトロ、チオシアノ、トリフルオロメチル、-COR4、-CO2R5、-SO2R2、-N(R1)COR4、-N(R1)SO2R2、アリールアゾ、アリールオキシ、アリールチオ、ヘテロアリールチオ、-SO2N(R1)R4、-CON(R1)R4、スクシンイミド、フタルイミドおよびフタルイミジノから選択される1〜3個の基であり；
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R4は、C1〜C8アルキル、C3〜C8シクロアルキル、アリールおよび水素から選択され；
R5は、C1〜C8アルキル、C3〜C8シクロアルキル、アリールおよび[CH2CH(R3)O]nCH2CH(R3)OR6から選択され；
R6は、水素、C1〜C8アルキル、アリール、C1〜C8アルカノイルオキシおよびC1〜C8アルコキシカルボニルオキシから選択され；
Qは、エチレン性不飽和重合性基であり；
分子は、少なくとも1個のエチレン性不飽和重合性基(Q)を含有する］
で示される分子構造を含む分子の少なくとも１つの残基を含有する、眼内レンズ。
【請求項２】
Aは、
【化３】
2008520811.tif 000003
［式中、
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
mは、0、1および2から選択され；
nは、1、2または3であり；
Rは、水素、または、C1〜C8アルキル、C1〜C8アルコキシ、ハロゲン、シアノ、ニトロ、チオシアノ、トリフルオロメチル、-COR4、-CO2R5、-SO2R2、-N(R1)COR4、-N(R1)SO2R2、アリールアゾ、アリールオキシ、アリールチオ、ヘテロアリールチオ、-SO2N(R1)R4、-CON(R1)R4、スクシンイミド、フタルイミドおよびフタルイミジノから選択される1〜3個の基であり；
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R4は、C1〜C8アルキル、C3〜C8シクロアルキル、アリールおよび水素から選択され；
R5は、C1〜C8アルキル、C3〜C8シクロアルキル、アリールおよび[CH2CH(R3)O]nCH2CH(R3)OR6から選択され；
R6は、水素、C1〜C8アルキル、アリール、C1〜C8アルカノイルオキシおよびC1〜C8アルコキシカルボニルオキシから選択され；
Qは、エチレン性不飽和重合性基であり、
Zが少なくとも1つのQ基を含んでいない場合、mは1または2である。］
である、請求項１に記載の眼内レンズ。
【請求項３】
Zは、
【化４】
2008520811.tif 000004
［式中、
R7は、水素、C1〜C8アルキル、C3〜C8シクロアルキル、アリール、アリーレン-(B-L-O-Q)p、アリーレン-(L1-O-Q)および-C2-C8-アルキレンOQから選択され；
R7'は、C1〜C8アルキル、トリフルオロメチル、C3〜C8シクロアルキル、C1〜C8アルコキシカルボニルおよびアリールから選択され；
R8は、水素；C1〜C8アルキル；-L1-O-Q；C3〜C8シクロアルキル；ヘテロアリール；アリール；または、C1〜C8アルキル、C1〜C8アルコキシ、ハロゲン、-B-L-O-QおよびL1-O-Qから選択される1〜3個の基で置換されたアリールであり；
R8'およびR8''は、C1〜C4アルキルおよびアリールから独立に選択され；
pは、1または2であり；
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
nは、1、2または3である］
から選択される構造の基である、請求項１に記載の眼内レンズ。
【請求項４】
エチレン性不飽和重合性基（Q）は、
【化５】
2008520811.tif 000005
［式中、
R9は、水素またはC1〜C8アルキルであり；
R10は、水素；C1〜C8アルキル；フェニル；C1〜C8アルキル、C1〜C8アルコキシ、-N(C1〜C8アルキル)2、ニトロ、シアノ、C1〜C8アルコキシカルボニル、C1〜C8アルカノイルオキシおよびハロゲンから選択される1個またはそれ以上の基によって置換されたフェニル；1-または2-ナフチル；C1〜C8アルキルまたはC1〜C8アルコキシによって置換された1-または2-ナフチル；2-または3-チエニル；C1〜C8アルキルまたはハロゲンによって置換された2-または3-チエニル；2-または3-フリル；あるいは、C1〜C8アルキルによって置換された2-または3-フリルであり；
R11およびR12は、独立して、水素、C1〜C8アルキルまたはアリールであるか；または、R11およびR12は、一緒になって、-(CH2)3~5基を表してもよく；
R13は、水素、C1〜C8アルキル、C3〜C8アルケニル、C3〜C8シクロアルキルまたはアリールであり；
R14は、水素、C1〜C8アルキルまたはアリールである］
である、請求項１に記載の眼内レンズ。
【請求項５】
Zは、
【化６】
2008520811.tif 000006
［式中、
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R7は、水素、C1〜C8アルキル、C3〜C8シクロアルキル、アリール、アリーレン-(B-L-O-Q)p、アリーレン-(L1-O-Q)および-C2-C8-アルキレンOQから選択され；
R7'は、C1〜C8アルキル、トリフルオロメチル、C3〜C8シクロアルキル、C1〜C8アルコキシカルボニルおよびアリールから選択され；
R8は、水素；C1〜C8アルキル；-L1-O-Q；C3〜C8シクロアルキル；ヘテロアリール；アリール；または、C1〜C8アルキル、C1〜C8アルコキシ、ハロゲン、-B-L-O-QおよびL1-O-Qから選択される1〜3個の基で置換されたアリールであり；
R8'およびR8''は、C1〜C4アルキルおよびアリールから独立に選択され；
pは、1または2であり；
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
nは、1、2または3である］
から選択される構造の基である、請求項２に記載の眼内レンズ。
【請求項６】
エチレン性不飽和重合性基は、
【化７】
2008520811.tif 000007
［式中、
R9は、水素またはC1〜C8アルキルであり；
R10は、水素；C1〜C8アルキル；フェニル；C1〜C8アルキル、C1〜C8アルコキシ、-N(C1〜C8アルキル)2、ニトロ、シアノ、C1〜C8アルコキシカルボニル、C1〜C8アルカノイルオキシおよびハロゲンから選択される1個またはそれ以上の基によって置換されたフェニル；1-または2-ナフチル；C1〜C8アルキルまたはC1〜C8アルコキシによって置換された1-または2-ナフチル；2-または3-チエニル；C1〜C8アルキルまたはハロゲンによって置換された2-または3-チエニル；2-または3-フリル；あるいは、C1〜C8アルキルによって置換された2-または3-フリルであり；
R11およびR12は、独立して、水素、C1〜C8アルキルまたはアリールであるか；または、R11およびR12は、一緒になって、-(CH2)3~5基を表してもよく；
R13は、水素、C1〜C8アルキル、C3〜C8アルケニル、C3〜C8シクロアルキルまたはアリールであり；
R14は、水素、C1〜C8アルキルまたはアリールである］
である、請求項５に記載の眼内レンズ。
【請求項７】
Aは、式XIII： 
【化８】
2008520811.tif 000008
［式中、Rは、水素、または、C1〜C4アルキル、C1〜C4アルコキシ、ハロゲン、ニトロ、シアノ、-CO2C1〜C8アルキル、-CONHC1〜C8アルキルおよび-SO2C1〜C4アルキルから選択される1個、2個または3個の基である］
で示される構造を有し；
Zは、
【化９】
2008520811.tif 000009
［式中、
R7は、-CH2CH2-O-Q、
【化１０】
2008520811.tif 000010
から選択され：
R7'は、C1〜C4アルキルおよびアリールから選択され；
R8'''は、-B-L-O-Qまたは-L1-O-Qであり；
Bは、-O-であり；
Lは、C2〜C8アルキレンおよび-[CH2CH(R3)O]n-CH2CH(R3)-から選択され；
nは、1、2または3であり；
R3は、水素またはメチルであり；
L1は、C1〜C8アルキレンであり；
Qは、
【化１１】
2008520811.tif 000011
（式中、
R9は、水素またはメチルであり；
R10は、水素であり；
R11およびR12は、メチルである）］
で示される基である、請求項１に記載の眼内レンズ。
【請求項８】
Rは、式XIIIの2位炭素に結合した-CO2C1〜C8アルキル基またはニトロ基であり、ニトロ基が2位に結合している場合、任意にC1〜C4アルキル、C1〜C4アルコキシまたはハロゲンが式XIIIの4位炭素に結合している、請求項７に記載の眼内レンズ。
【請求項９】
Aは、
【化１２】
2008520811.tif 000012
［式中、
Rは、水素であり；
Bは、-O-または-CONH-であり；
Lは、C2〜C8アルキレンまたは-[CH2CH(R3)O]n-CH2CH-(R3)-であり；
L1は、C1〜C8アルキレンであり；
R3は、水素またはメチルであり；
mは、1であり；
nは、1、2または3である］
であり、
Zは、
【化１３】
2008520811.tif 000013
［式中、
R7は、水素、C1〜C4アルキルまたはアリールであり；
R7'は、C1〜C4アルキルまたはアリールであり；
R8'''は、水素、またはC1〜C4アルキル、C1〜C4アルコキシおよびハロゲンから選択される1〜3個の基である］
で示される残基であり、
Qは、
【化１４】
2008520811.tif 000014
［式中、
R9は、水素またはメチルであり；
R10は、水素であり；
R11およびR12は、メチルである］
である、請求項１に記載の眼内レンズ。
【請求項１０】
Aは、
【化１５】
2008520811.tif 000015
［式中、L1は、C1〜C8アルキレンである］
で示される基であり、
Zは、
【化１６】
2008520811.tif 000016
［式中、
R7は、水素、C1〜C4アルキルまたはアリールであり；
R7'は、C1〜C4アルキルまたはアリールである］
で示される残基であり、
Qは、
【化１７】
2008520811.tif 000017
［式中、
R9は、水素またはメチルであり；
R10は、水素である］
である、請求項９に記載の眼内レンズ。
【請求項１１】
式Ｉ：
【化１８】
2008520811.tif 000018
［式中、
Aは、置換されていてもよいアリール基であり；
Zは、2-ピラゾリン-5-オン、ジメドン(5,5-ジメチル-1,3-シクロヘキサンジオン)、アセトアセトアミド、マロンアミド、バルビツル酸および1,3-プロパンジオンから選択される成分の基であり；
但しZが2-ピラゾリン-5-オンであるとき、Aは、
【化１９】
2008520811.tif 000019
から選択され、ここで、
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
mは、0、1および2から選択され；
nは、1、2または3であり；
Rは、水素、または、C1〜C8アルキル、C1〜C8アルコキシ、ハロゲン、シアノ、ニトロ、チオシアノ、トリフルオロメチル、-COR4、-CO2R5、-SO2R2、-N(R1)COR4、-N(R1)SO2R2、アリールアゾ、アリールオキシ、アリールチオ、ヘテロアリールチオ、-SO2N(R1)R4、-CON(R1)R4、スクシンイミド、フタルイミドおよびフタルイミジノから選択される1〜3個の基であり；
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R4は、C1〜C8アルキル、C3〜C8シクロアルキル、アリールおよび水素から選択され；
R5は、C1〜C8アルキル、C3〜C8シクロアルキル、アリールおよび[CH2CH(R3)O]nCH2CH(R3)OR6から選択され；
R6は、水素、C1〜C8アルキル、アリール、C1〜C8アルカノイルオキシおよびC1〜C8アルコキシカルボニルオキシから選択され；
Qは、エチレン性不飽和重合性基であり；
分子は、少なくとも1個のエチレン性不飽和重合性基(Q)を含有する］
で示される構造を有する化合物。
【請求項１２】
Aは、
【化２０】
2008520811.tif 000020
［式中、
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
mは、0、1および2から選択され；
nは、1、2または3であり；
Rは、水素、または、C1〜C8アルキル、C1〜C8アルコキシ、ハロゲン、シアノ、ニトロ、チオシアノ、トリフルオロメチル、-COR4、-CO2R5、-SO2R2、-N(R1)COR4、-N(R1)SO2R2、アリールアゾ、アリールオキシ、アリールチオ、ヘテロアリールチオ、-SO2N(R1)R4、-CON(R1)R4、スクシンイミド、フタルイミドおよびフタルイミジノから選択される1〜3個の基であり；
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R4は、C1〜C8アルキル、C3〜C8シクロアルキル、アリールおよび水素から選択され；
R5は、C1〜C8アルキル、C3〜C8シクロアルキル、アリールおよび[CH2CH(R3)O]nCH2CH(R3)OR6から選択され；
R6は、水素、C1〜C8アルキル、アリール、C1〜C8アルカノイルオキシおよびC1〜C8アルコキシカルボニルオキシから選択され；
Qは、エチレン性不飽和重合性基であり、
Zが少なくとも1つのQ基を含んでいない場合、mは1または2である。］
である、請求項１１に記載の化合物。
【請求項１３】
Zは、
【化２１】
2008520811.tif 000021
［式中、
R7は、水素、C1〜C8アルキル、C3〜C8シクロアルキル、アリール、アリーレン-(B-L-O-Q)p、アリーレン-(L1-O-Q)および-C2-C8-アルキレンOQから選択され；
R7'は、C1〜C8アルキル、トリフルオロメチル、C3〜C8シクロアルキル、C1〜C8アルコキシカルボニルおよびアリールから選択され；
R8は、水素；C1〜C8アルキル；-L1-O-Q；C3〜C8シクロアルキル；ヘテロアリール；アリール；または、C1〜C8アルキル、C1〜C8アルコキシ、ハロゲン、-B-L-O-QおよびL1-O-Qから選択される1〜3個の基で置換されたアリールであり；
R8'およびR8''は、C1〜C4アルキルおよびアリールから独立に選択され；
pは、1または2であり；
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
nは、1〜3から選択される］
から選択される構造の基である、請求項１１に記載の化合物。
【請求項１４】
エチレン性不飽和重合性基（Q）は、
【化２２】
2008520811.tif 000022
［式中、
R9は、水素またはC1〜C8アルキルであり；
R10は、水素；C1〜C8アルキル；フェニル；C1〜C8アルキル、C1〜C8アルコキシ、-N(C1〜C8アルキル)2、ニトロ、シアノ、C1〜C8アルコキシカルボニル、C1〜C8アルカノイルオキシおよびハロゲンから選択される1個またはそれ以上の基によって置換されたフェニル；1-または2-ナフチル；C1〜C8アルキルまたはC1〜C8アルコキシによって置換された1-または2-ナフチル；2-または3-チエニル；C1〜C8アルキルまたはハロゲンによって置換された2-または3-チエニル；2-または3-フリル；あるいは、C1〜C8アルキルによって置換された2-または3-フリルであり；
R11およびR12は、独立して、水素、C1〜C8アルキルまたはアリールであるか；または、R11およびR12は、一緒になって、-(CH2)3~5基を表してもよく；
R13は、水素、C1〜C8アルキル、C3〜C8アルケニル、C3〜C8シクロアルキルまたはアリールであり；
R14は、水素、C1〜C8アルキルまたはアリールである］
である、請求項１１に記載の化合物。
【請求項１５】
Zは、
【化２３】
2008520811.tif 000023
［式中、
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R7は、水素、C1〜C8アルキル、C3〜C8シクロアルキル、アリール、アリーレン-(B-L-O-Q)p、アリーレン-(L1-O-Q)および-C2-C8-アルキレンOQから選択され；
R7'は、C1〜C8アルキル、トリフルオロメチル、C3〜C8シクロアルキル、C1〜C8アルコキシカルボニルおよびアリールから選択され；
R8は、水素；C1〜C8アルキル；-L1-O-Q；C3〜C8シクロアルキル；ヘテロアリール；アリール；または、C1〜C8アルキル、C1〜C8アルコキシ、ハロゲン、-B-L-O-QおよびL1-O-Qから選択される1〜3個の基で置換されたアリールであり；
R8'およびR8''は、C1〜C4アルキルおよびアリールから独立に選択され；
pは、1または2であり；
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
nは、1〜3から選択される］
から選択される構造の基である、請求項１２に記載の化合物。
【請求項１６】
エチレン性不飽和重合性基は、
【化２４】
2008520811.tif 000024
［式中、
R9は、水素またはC1〜C8アルキルであり；
R10は、水素；C1〜C8アルキル；フェニル；C1〜C8アルキル、C1〜C8アルコキシ、-N(C1〜C8アルキル)2、ニトロ、シアノ、C1〜C8アルコキシカルボニル、C1〜C8アルカノイルオキシおよびハロゲンから選択される1個またはそれ以上の基によって置換されたフェニル；1-または2-ナフチル；C1〜C8アルキルまたはC1〜C8アルコキシによって置換された1-または2-ナフチル；2-または3-チエニル；C1〜C8アルキルまたはハロゲンによって置換された2-または3-チエニル；2-または3-フリル；あるいは、C1〜C8アルキルによって置換された2-または3-フリルであり；
R11およびR12は、独立して、水素、C1〜C8アルキルまたはアリールであるか；または、R11およびR12は、一緒になって、-(CH2)3~5基を表してもよく；
R13は、水素、C1〜C8アルキル、C3〜C8アルケニル、C3〜C8シクロアルキルまたはアリールであり；
R14は、水素、C1〜C8アルキルまたはアリールである］
である、請求項１５に記載の化合物。
【請求項１７】
Aは、式XIII： 
【化２５】
2008520811.tif 000025
［式中、Rは、水素、または、C1〜C4アルキル、C1〜C4アルコキシ、ハロゲン、ニトロ、シアノ、-CO2C1〜C8アルキル、-CONHC1〜C8アルキルおよび-SO2C1〜C4アルキルから選択される1個または2個の基である］
で示される構造を有し；
Zは、
【化２６】
2008520811.tif 000026
［式中、
R7は、-CH2CH2-O-Q、
【化２７】
2008520811.tif 000027
から選択され：
R7'は、C1〜C4アルキルおよびアリールから選択され；
R8'''は、-B-L-O-Qまたは-L1-O-Qであり；
Bは、-O-であり；
R3は、水素またはメチルであり；
Lは、C2〜C8アルキレンおよび-[CH2CH(R3)O]n-CH2CH(R3)-から選択され；
nは、1、2または3であり；
L1は、C1〜C8アルキレンであり；
Qは、
【化２８】
2008520811.tif 000028
（式中、
R9は、水素またはメチルであり；
R10は、水素であり；
R11およびR12は、メチルである）
から選択される］
で示される基である、請求項１１に記載の化合物。
【請求項１８】
Rは、式XIIIの2位炭素に結合した-CONHC1〜C8アルキル基またはニトロ基であり、ニトロ基が2位に結合している場合、任意にC1〜C4アルキル、C1〜C4アルコキシまたはハロゲンが式XIIIの4位炭素に結合している、請求項１７に記載の化合物。
【請求項１９】
Aは、
【化２９】
2008520811.tif 000029
［式中、
Rは、水素であり；
Bは、-O-または-CONH-であり；
Lは、C2〜C8アルキレンまたは-[CH2CH(R3)O]n-CH2CH-(R3)-であり；
L1は、C1〜C8アルキレンであり；
R3は、水素またはメチルであり；
mは、1であり；
nは、1、2または3である］
であり、
Zは、
【化３０】
2008520811.tif 000030
［式中、
R7は、水素、C1〜C4アルキルまたはアリールであり；
R7'は、C1〜C4アルキルまたはアリールであり；
R8'''は、水素、またはC1〜C4アルキル、C1〜C4アルコキシおよびハロゲンから選択される1〜3個の基である］
で示される残基であり、
Qは、
【化３１】
2008520811.tif 000031
［式中、
R9は、水素またはメチルであり；
R10は、水素であり；
R11およびR12は、メチルである］
である、請求項１１に記載の化合物。
【請求項２０】
Aは、
【化３２】
2008520811.tif 000032
［式中、L1は、C1〜C8アルキレンである］
で示される基であり、
Zは、
【化３３】
2008520811.tif 000033
［式中、
R7は、水素、C1〜C4アルキルまたはアリールであり；
R7'は、C1〜C4アルキルまたはアリールである］
で示される残基であり、
Qは、
【化３４】
2008520811.tif 000034
［式中、
R9は、水素またはメチルであり；
R10は、水素である］
である、請求項１９に記載の化合物。
【請求項２１】
請求項１１〜２０のいずれかに記載の化合物を含んでなる組成物。
【請求項２２】
式Ｉ：
【化３５】
2008520811.tif 000035
［式中、
Aは、置換されていてもよいアリール基であり；
Zは、2-ピラゾリン-5-オン、ジメドン(5,5-ジメチル-1,3-シクロヘキサンジオン)、アセトアセトアミド、マロンアミド、バルビツル酸および1,3-プロパンジオンから選択される成分の基であり；
但しZが2-ピラゾリン-5-オンであるとき、Aは、
【化３６】
2008520811.tif 000036
から選択され、ここで、
Bは、-CON(R1)-、-O-、-S-および-N(SO2R2)-から選択される二価結合基であり；
Lは、C2〜C8アルキレンおよび-[CH2CH(R3)O]n-CH2CH(R3)-から選択され；
L1は、C1〜C8アルキレン基であり；
mは、0、1および2から選択され；
nは、1、2または3であり；
Rは、水素、または、C1〜C8アルキル、C1〜C8アルコキシ、ハロゲン、シアノ、ニトロ、チオシアノ、トリフルオロメチル、-COR4、-CO2R5、-SO2R2、-N(R1)COR4、-N(R1)SO2R2、アリールアゾ、アリールオキシ、アリールチオ、ヘテロアリールチオ、-SO2N(R1)R4、-CON(R1)R4、スクシンイミド、フタルイミドおよびフタルイミジノから選択される1〜3個の基であり；
R1は、水素、C1〜C8アルキル、C3〜C8シクロアルキル、C3〜C8アルケニルおよびアリールから選択され；
R2は、C1〜C8アルキル、C3〜C8シクロアルキルおよびアリールから選択され；
R3は、水素またはメチルであり；
R4は、C1〜C8アルキル、C3〜C8シクロアルキル、アリールおよび水素から選択され；
R5は、C1〜C8アルキル、C3〜C8シクロアルキル、アリールおよび[CH2CH(R3)O]nCH2CH(R3)OR6から選択され；
R6は、水素、C1〜C8アルキル、アリール、C1〜C8アルカノイルオキシおよびC1〜C8アルコキシカルボニルオキシから選択され；
Qは、エチレン性不飽和重合性基であり；
分子は、少なくとも1個のエチレン性不飽和重合性基(Q)を含有する］
で示される分子構造を有する分子の少なくとも1つの残基を含んでなるポリマー。
【請求項２３】
請求項２２に記載のポリマーを含んでなる組成物。
【請求項２４】
請求項２２に記載のポリマーを含んでなる物品。
【請求項２５】
請求項１１〜２０のいずれかに記載の化合物を含むモノマーを共重合することを含む、ポリマーの製造方法。
【手続補正２】
【補正対象書類名】明細書
【補正対象項目名】００１４
【補正方法】変更
【補正の内容】
【００１４】
「C1〜C8アルキル」という用語は、直鎖または分岐鎖飽和炭化水素基を意味し、該基は、ヒドロキシ、ハロゲン、シアノ、アリール、C3〜C8シクロアルキル、-OC1〜C4アルキル、-OCOC1〜C4アルキル、-OCO2C1〜C4アルキルおよび-CO2C1〜C4アルキル、（それらの基のC1〜C4アルキル部分は、1〜4個の炭素原子を有する飽和直鎖または分岐鎖炭化水素基を表す）から選択される1個または2個の基によって置換されていてもよい。